(57)【特許請求の範囲】
【請求項１】
対象設備を計測した結果を示す計測情報を取得して送信する第１の無線端末装置と、
前記対象設備の動作に関する設備情報を取得して送信する第２の無線端末装置と、
前記計測情報および前記設備情報を取得し、前記設備情報に基づいて、抽出すべき第１期間を決定し、取得した前記計測情報のうち、前記第１期間に対応する前記計測情報を抽出する処理を行う管理装置とを備え、
さらに、
前記第２の無線端末装置と前記管理装置との間の情報を中継する中継機を備え、
前記中継機は、前記第２の無線端末装置から前記設備情報を受信し、受信した前記設備情報に時刻情報を追加して他の装置へ送信し、
前記管理装置は、前記設備情報に前記時刻情報が含まれている場合、前記時刻情報に基づいて前記計測情報を抽出する処理を行い、前記設備情報に前記時刻情報が含まれていない場合、前記管理装置が前記設備情報を受信した時刻に基づいて前記計測情報を抽出する処理を行う、管理システム。
【請求項２】
前記管理装置は、前記設備情報に含まれる前記時刻情報または前記設備情報を受信した時刻に基づいて、前記第１期間を決定し、取得した前記計測情報のうち、前記第１期間に対応する前記計測情報を抽出する処理を行い、前記第１期間と異なる第２期間に対応する前記計測情報を抽出する処理を行わない、請求項１に記載の管理システム。
【請求項３】
前記設備情報は、前記対象設備の動作開始および動作停止を認識可能な情報を含み、
前記第１期間は、前記設備が動作している期間であり、
前記第２期間は、前記設備が動作を停止している期間である、請求項２に記載の管理システム。
【請求項４】
前記第２の無線端末装置は、接点を備え、
前記接点には、前記設備情報として、前記対象設備の動作開始および動作停止を認識可能な情報が前記第２の無線端末装置の外部から与えられる、請求項１から請求項３のいずれか１項に記載の管理システム。
【請求項５】
前記管理装置は、前記対象設備の動作開始を認識可能な前記設備情報を取得した時刻、および前記対象設備の動作停止を認識可能な前記設備情報を取得した時刻に基づいて、前記計測情報を抽出する処理を行う、請求項４に記載の管理システム。
【請求項６】
前記管理装置は、前記対象設備の動作開始を認識可能な前記設備情報に含まれる前記時刻情報、および前記対象設備の動作停止を認識可能な前記設備情報に含まれる前記時刻情報に基づいて、前記計測情報を抽出する処理を行う、請求項４または請求項５に記載の管理システム。
【請求項７】
前記設備情報は、前記計測情報の示す計測とは異なる種類の計測を前記対象設備について行った結果を示し、
前記管理装置は、前記設備情報の示す計測結果と所定の閾値との比較結果に基づいて、前記計測情報を抽出する処理を行う、請求項１から請求項５のいずれか１項に記載の管理システム。
【請求項８】
前記管理装置は、抽出した情報に基づいて前記対象設備の異常を検知する、請求項１から請求項７のいずれか１項に記載の管理システム。
【請求項９】
管理装置であって、
対象設備を計測した結果を示す計測情報、および前記対象設備の動作に関する設備情報を取得する取得部と、
前記取得部により取得された前記設備情報に基づいて、抽出すべき第１期間を決定し、前記取得部により取得された前記計測情報のうち、前記第１期間に対応する前記計測情報を抽出する処理を行う処理部とを備え、
前記処理部は、前記設備情報を取得して送信する無線端末装置と前記管理装置との間の情報を中継する中継機によって追加される時刻情報が前記設備情報に含まれている場合、前記時刻情報に基づいて前記計測情報を抽出する処理を行い、前記設備情報に前記時刻情報が含まれていない場合、前記管理装置が前記設備情報を受信した時刻に基づいて前記計測情報を抽出する処理を行う、管理装置。
【請求項１０】
前記処理部は、前記設備情報に含まれる前記時刻情報または前記設備情報を受信した時刻に基づいて、前記第１期間を決定し、取得した前記計測情報のうち、前記第１期間に対応する前記計測情報を抽出する処理を行い、前記第１期間と異なる第２期間に対応する前記計測情報を抽出する処理を行わない、請求項９に記載の管理装置。
【請求項１１】
前記設備情報は、前記対象設備の動作開始および動作停止を認識可能な情報を含み、
前記第１期間は、前記設備が動作している期間であり、
前記第２期間は、前記設備が動作を停止している期間である、請求項１０に記載の管理装置。
【請求項１２】
第１の無線端末装置と、第２の無線端末装置と、管理装置と、前記第２の無線端末装置と前記管理装置との間の情報を中継する中継機とを備える管理システムにおける管理方法であって、
前記第１の無線端末装置が、対象設備を計測した結果を示す計測情報を取得して送信するステップと、
前記第２の無線端末装置が、前記対象設備の動作に関する設備情報を取得して送信するステップと、
前記管理装置が、前記計測情報および前記設備情報を取得し、取得した前記設備情報に基づいて、抽出すべき第１期間を決定し、取得した前記計測情報のうち、前記第１期間に対応する前記計測情報を抽出する処理を行うステップとを含み、
前記計測情報を抽出する処理を行うステップにおいては、前記管理装置が、前記中継機によって追加される時刻情報が前記設備情報に含まれている場合、前記時刻情報に基づいて前記計測情報を抽出する処理を行い、前記設備情報に前記時刻情報が含まれていない場合、前記管理装置が前記設備情報を受信した時刻に基づいて前記計測情報を抽出する処理を行う、管理方法。
【請求項１３】
前記計測情報を抽出する処理を行うステップにおいては、前記管理装置が、前記設備情報に含まれる前記時刻情報または前記設備情報を受信した時刻に基づいて、前記第１期間を決定し、取得した前記計測情報のうち、前記第１期間に対応する前記計測情報を抽出する処理を行い、前記第１期間と異なる第２期間に対応する前記計測情報を抽出する処理を行わない、請求項１２に記載の管理方法。
【請求項１４】
前記設備情報は、前記対象設備の動作開始および動作停止を認識可能な情報を含み、
前記第１期間は、前記設備が動作している期間であり、
前記第２期間は、前記設備が動作を停止している期間である、請求項１３に記載の管理方法。
【請求項１５】
管理装置において用いられる管理プログラムであって、
コンピュータを、
対象設備を計測した結果を示す計測情報、および前記対象設備の動作に関する設備情報を取得する取得部と、
前記取得部により取得された前記設備情報に基づいて、抽出すべき第１期間を決定し、前記取得部により取得された前記計測情報のうち、前記第１期間に対応する前記計測情報を抽出する処理を行う処理部、
として機能させるためのプログラムであり、
前記処理部は、前記設備情報を取得して送信する無線端末装置と前記管理装置との間の情報を中継する中継機によって追加される時刻情報が前記設備情報に含まれている場合、前記時刻情報に基づいて前記計測情報を抽出する処理を行い、前記設備情報に前記時刻情報が含まれていない場合、前記管理装置が前記設備情報を受信した時刻に基づいて前記計測情報を抽出する処理を行う、管理プログラム。
【請求項１６】
前記処理部は、前記設備情報に含まれる前記時刻情報または前記設備情報を受信した時刻に基づいて、前記第１期間を決定し、取得した前記計測情報のうち、前記第１期間に対応する前記計測情報を抽出する処理を行い、前記第１期間と異なる第２期間に対応する前記計測情報を抽出する処理を行わない、請求項１５に記載の管理プログラム。
【請求項１７】
前記設備情報は、前記対象設備の動作開始および動作停止を認識可能な情報を含み、
前記第１期間は、前記設備が動作している期間であり、
前記第２期間は、前記設備が動作を停止している期間である、請求項１６に記載の管理プログラム。
【発明の詳細な説明】
【技術分野】
【０００１】
本発明は、管理システム、管理装置、管理方法および管理プログラムに関する。
この出願は、２０１７年８月８日に出願された日本出願特願２０１７−１５３２３６号を基礎とする優先権を主張し、その開示のすべてをここに取り込む。
【背景技術】
【０００２】
特開２００６−１６３５１７号公報（特許文献１）には、以下のような異常検知装置が記載されている。すなわち、異常検知装置は、監視対象に設けられた検出手段と、前記検出手段からの検出データに基づいてニューラルネットワークにより前記監視対象の状態を診断する演算手段とを有する異常検知装置であって、前記演算手段は、所定のモデル作成データを用いて前記ニューラルネットワークのモデルを形成し、前記ニューラルネットワークのモデルを用い、検出データに基づいて前記監視対象の状態を診断し、所定時点での検出データによる入力ベクトルを中間層として加えて、前記ニューラルネットワークのモデルを更新し、更新後は、前記ニューラルネットワークの更新したモデルを用いて前記監視対象の状態を診断する。
【先行技術文献】
【特許文献】
【０００３】
【特許文献１】特開２００６−１６３５１７号公報
【発明の概要】
【０００４】
（１）本開示の管理システムは、対象設備を計測した結果を示す計測情報を取得して送信する第１の無線端末装置と、前記対象設備の動作に関する設備情報を取得して送信する第２の無線端末装置と、前記計測情報および前記設備情報を取得し、前記設備情報に基づいて、前記計測情報の一部を抽出する処理を行う管理装置とを備える。
【０００５】
（７）本開示の管理装置は、対象設備を計測した結果を示す計測情報、および前記対象設備の動作に関する設備情報を取得する取得部と、前記取得部により取得された前記設備情報に基づいて、前記取得部により取得された前記計測情報の一部を抽出する処理を行う処理部とを備える。
【０００６】
（８）本開示の管理方法は、第１の無線端末装置と、第２の無線端末装置と、管理装置とを備える管理システムにおける管理方法であって、前記第１の無線端末装置が、対象設備を計測した結果を示す計測情報を取得して送信するステップと、前記第２の無線端末装置が、前記対象設備の動作に関する設備情報を取得して送信するステップと、前記管理装置が、前記計測情報および前記設備情報を取得し、取得した前記設備情報に基づいて、受信した前記計測情報の一部を抽出する処理を行うステップとを含む。
【０００７】
（９）本開示の管理プログラムは、管理装置において用いられる管理プログラムであって、コンピュータを、対象設備を計測した結果を示す計測情報、および前記対象設備の動作に関する設備情報を取得する取得部と、前記取得部により取得された前記設備情報に基づいて、前記取得部により取得された前記計測情報の一部を抽出する処理を行う処理部、として機能させるためのプログラムである。
【０００８】
本開示の一態様は、このような特徴的な処理部を備える管理システムとして実現され得るだけでなく、かかる特徴的な処理をコンピュータに実行させるためのプログラムとして実現され得る。
【０００９】
また、本開示の一態様は、このような特徴的な処理部を備える管理装置として実現され得るだけでなく、かかる特徴的な処理をステップとする管理方法として実現され得たり、管理装置の一部または全部を実現する半導体集積回路として実現され得る。
【図面の簡単な説明】
【００１０】
【図１】図１は、本発明の実施の形態に係る管理システムの構成を示す図である。
【図２】図２は、本発明の実施の形態に係る管理装置の構成を示す図である。
【図３】図３は、図２に示す管理装置が受信した複数の計測情報に基づく計測結果を示す図である。
【図４】図４は、図２に示す管理装置における設備情報の状態変化の一例を示す図である。
【図５】図５は、図２に示す管理装置により抽出された１または複数の計測情報に基づく計測結果を示す図である。
【図６】図６は、本発明の実施の形態に係る管理装置による異常の検知方法の一例（その１）を説明するための図である。
【図７】図７は、本発明の実施の形態に係る管理装置による異常の検知方法の一例（その２）を説明するための図である。
【図８】図８は、本発明の実施の形態に係る管理システムの動作の流れの一例を示すシーケンス図である。
【図９】図９は、本発明の実施の形態の変形例１に係る管理システムの構成を示す図である。
【図１０】図１０は、図９に示す管理装置が受信した設備情報に基づく計測結果を示す図である。
【発明を実施するための形態】
【００１１】
従来、工場に設けられた対象設備などを監視するための装置が開発されている。
【００１２】
［本開示が解決しようとする課題］
上述した特許文献１に記載のような装置によれば、対象設備を計測した結果に基づいて、人手を介さずに当該対象設備において生じた異常の検知を行うことができる。
【００１３】
しかしながら、対象設備の計測は、当該対象設備が動作している期間に限らず、動作を停止している期間においても行われる。そして、異常の検知に用いられるデータに、対象設備が動作している期間における計測結果、および対象設備が動作を停止している期間における計測結果の両方が含まれる場合、異常の検知を精度よく行うことができない可能性がある。また、この場合、不要なデータに対して演算処理を行うことになる。
【００１４】
本開示は、上述の課題を解決するためになされたもので、その目的は、対象設備に関する計測情報の処理をより良好に行うことのできる管理システム、管理装置、管理方法および管理プログラムを提供することである。
【００１５】
［本開示の効果］
本開示によれば、対象設備に関する計測情報の処理をより良好に行うことができる。
【００１６】
［本願発明の実施形態の説明］
最初に、本発明の実施形態の内容を列記して説明する。
【００１７】
（１）本発明の実施の形態に係る管理システムは、対象設備を計測した結果を示す計測情報を取得して送信する第１の無線端末装置と、前記対象設備の動作に関する設備情報を取得して送信する第２の無線端末装置と、前記計測情報および前記設備情報を取得し、前記設備情報に基づいて、前記計測情報の一部を抽出する処理を行う管理装置とを備える。
【００１８】
このような構成により、管理装置において、設備情報に基づいて対象設備が動作している期間を把握し、当該期間における計測結果を含む計測情報を選択的に抽出することができるため、抽出した計測情報を用いて、対象設備における異常の検知をより高い精度で行うことができる。また、不要なデータに対する演算処理を避けることができるため、処理負荷の低減を実現することができる。したがって、対象設備に関する計測結果を示す計測情報の処理をより良好に行うことができる。
【００１９】
（２）好ましくは、前記第２の無線端末装置は、接点を備え、前記接点には、前記設備情報として、前記対象設備の動作開始および動作停止を認識可能な情報が前記第２の無線端末装置の外部から与えられる。
【００２０】
このような構成により、外部から与えられる情報による接点の状態に基づいて、対象設備の動作開始タイミングおよび動作停止タイミングを容易に検出することができる。
【００２１】
（３）より好ましくは、前記管理装置は、前記対象設備の動作開始を認識可能な前記設備情報を取得した時刻、および前記対象設備の動作停止を認識可能な前記設備情報を取得した時刻に基づいて、前記計測情報の一部を抽出する処理を行う。
【００２２】
このような構成により、第２の無線端末装置、または第２の無線端末装置および管理装置間の情報を中継する中継機などにおいて時刻の計測を行うことなく、管理装置において対象設備の動作開始タイミングおよび動作停止タイミングを検出することができる。
【００２３】
（４）より好ましくは、前記管理システムは、さらに、前記第２の無線端末装置および前記管理装置間の情報を中継する１または複数の中継機を備え、前記中継機は、前記第２の無線端末装置から前記設備情報を受信し、受信した前記設備情報に時刻情報を追加して他の装置へ送信し、前記管理装置は、前記対象設備の動作開始を認識可能な前記設備情報に含まれる前記時刻情報、および前記対象設備の動作停止を認識可能な前記設備情報に含まれる前記時刻情報に基づいて、前記計測情報の一部を抽出する処理を行う。
【００２４】
たとえば、管理装置における設備情報の受信時刻を用いて対象設備の動作開始タイミングおよび動作停止タイミングを検出する構成では、設備情報が管理装置に到着するまでに多くの時間を要する場合、管理装置により検出される動作開始タイミングおよび動作停止タイミングと、実際の動作開始タイミングおよび動作停止タイミングとの間の誤差が大きくなる。これに対して、上記のように、中継機における設備情報の受信時刻を用いる構成により、誤差を小さくし、対象設備の動作開始タイミングおよび動作停止タイミングをより高い精度で検出することができる。
【００２５】
（５）好ましくは、前記設備情報は、前記計測情報の示す計測とは異なる種類の計測を前記対象設備について行った結果を示し、前記管理装置は、前記設備情報の示す計測結果と所定の閾値との比較結果に基づいて、前記計測情報の一部を抽出する処理を行う。
【００２６】
このような構成により、ある種類の計測情報を、対象の計測情報の抽出処理のためのタイミング設定に用いることができる。
【００２７】
（６）好ましくは、前記管理装置は、抽出した情報に基づいて前記対象設備の異常を検知する。
【００２８】
このように、管理装置が対象設備の異常を検知する構成により、異常の検知を行うための他の装置を別途設ける必要がない。
【００２９】
（７）本発明の実施の形態に係る管理装置は、対象設備を計測した結果を示す計測情報、および前記対象設備の動作に関する設備情報を取得する取得部と、前記取得部により取得された前記設備情報に基づいて、前記取得部により取得された前記計測情報の一部を抽出する処理を行う処理部とを備える。
【００３０】
このような構成により、管理装置において、設備情報に基づいて対象設備が動作している期間を把握し、当該期間における計測結果を含む計測情報を選択的に抽出することができるため、抽出した計測情報を用いて、対象設備における異常の検知をより高い精度で行うことができる。また、不要なデータに対する演算処理を避けることができるため、処理負荷の低減を実現することができる。したがって、対象設備に関する計測結果を示す計測情報の処理をより良好に行うことができる。
【００３１】
（８）本発明の実施の形態に係る管理方法は、第１の無線端末装置と、第２の無線端末装置と、管理装置とを備える管理システムにおける管理方法であって、前記第１の無線端末装置が、対象設備を計測した結果を示す計測情報を取得して送信するステップと、前記第２の無線端末装置が、前記対象設備の動作に関する設備情報を取得して送信するステップと、前記管理装置が、前記計測情報および前記設備情報を取得し、取得した前記設備情報に基づいて、受信した前記計測情報の一部を抽出する処理を行うステップとを含む。
【００３２】
このような方法により、管理装置において、設備情報に基づいて対象設備が動作している期間を把握し、当該期間における計測結果を含む計測情報を選択的に抽出することができるため、抽出した計測情報を用いて、対象設備における異常の検知をより高い精度で行うことができる。また、不要なデータに対する演算処理を避けることができるため、処理負荷の低減を実現することができる。したがって、対象設備に関する計測結果を示す計測情報の処理をより良好に行うことができる。
【００３３】
（９）本発明の実施の形態に係る管理プログラムは、管理装置において用いられる管理プログラムであって、コンピュータを、対象設備を計測した結果を示す計測情報、および前記対象設備の動作に関する設備情報を取得する取得部と、前記取得部により取得された前記設備情報に基づいて、前記取得部により取図得された前記計測情報の一部を抽出する処理を行う処理部、として機能させるためのプログラムである。
【００３４】
このような構成により、管理装置において、設備情報に基づいて対象設備が動作している期間を把握し、当該期間における計測結果を含む計測情報を選択的に抽出することができるため、抽出した計測情報を用いて、対象設備における異常の検知をより高い精度で行うことができる。また、不要なデータに対する演算処理を避けることができるため、処理負荷の低減を実現することができる。したがって、対象設備に関する計測結果を示す計測情報の処理をより良好に行うことができる。
【００３５】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００３６】
＜構成および基本動作＞
［全体構成］
図１は、本発明の実施の形態に係る管理システムの構成を示す図である。
【００３７】
図１を参照して、管理システム２０１は、管理装置１０１と、第１の無線端末装置１５１と、第２の無線端末装置１５２と、受信機（中継機）１６１とを備える。
【００３８】
第１の無線端末装置１５１は、たとえば、電池式で動作する装置であり、工場などの対象施設に設けられた対象設備Ｘに取り付けられている。対象設備Ｘは、モータなどの機器である。第１の無線端末装置１５１は、対象設備Ｘの計測を常時行い、計測結果を示す計測情報を無線通信により受信機１６１へ送信する。
【００３９】
より詳細には、第１の無線端末装置１５１は、対象設備Ｘに取り付けられた検出素子１１と、本体１２とを含む。検出素子１１は、たとえば、対象設備Ｘの振動を常時計測し、計測結果を本体１２へ出力する。本体１２は、検出素子１１から受けた計測結果を示す計測情報を受信機１６１へ送信する。
【００４０】
なお、第１の無線端末装置１５１は、検出素子１１を含まない構成であってもよい。この場合、第１の無線端末装置１５１は、別の装置により行われた対象設備Ｘの計測結果を取得し、取得した計測結果を示す計測情報を受信機１６１へ送信する。
【００４１】
第２の無線端末装置１５２は、たとえば、電池式で動作する装置であり、対象設備Ｘの動作を制御する制御装置Ｙと有線により接続されている。第２の無線端末装置１５２は、対象設備Ｘの動作に関する設備情報を取得し、取得した設備情報を無線通信により受信機１６１へ送信する。
【００４２】
具体的には、第２の無線端末装置１５２は、本体２１と、接点Ｐとを含み、接点Ｐのオープンまたはクローズを計測する接点計測装置である。
【００４３】
制御装置Ｙは、たとえば管理者により操作されると、対象設備Ｘの動作を開始させるための動作開始命令、または対象設備Ｘの動作を停止させるための動作停止命令を対象設備Ｘへ送信する。対象設備Ｘは、制御装置Ｙから動作開始命令を受信すると動作を開始し、制御装置Ｙから動作停止命令を受信すると動作を停止する。
【００４４】
接点Ｐには、設備情報として、対象設備Ｘの動作開始および動作停止を認識可能な情報が、制御装置Ｙから与えられる。
【００４５】
より詳細には、制御装置Ｙは、対象設備Ｘへ動作開始命令を送信する際、たとえば、第２の無線端末装置１５２における接点Ｐをオープンの状態からクローズの状態へ切り替えるための信号を接点Ｐへ出力する。また、制御装置Ｙは、対象設備Ｘへ動作停止命令を送信する際、たとえば、接点Ｐをクローズの状態からオープンの状態へ切り替えるための信号を接点Ｐへ出力する。
【００４６】
第２の無線端末装置１５２における本体２１は、接点Ｐの状態が切り替わると、接点Ｐの状態を示す情報を設備情報として受信機１６１へ送信する。
【００４７】
具体的には、本体２１は、対象設備Ｘが動作を開始した際、すなわち接点Ｐがクローズの状態に切り替わった際、設備情報として「１」の接点情報を受信機１６１へ送信する。また、本体２１は、対象設備Ｘが動作を停止した際、すなわち接点Ｐがオープンの状態に切り替わった際、設備情報として「０」の接点情報を受信機１６１へ送信する。
【００４８】
受信機１６１は、たとえば管理装置１０１と有線により接続されている。受信機１６１は、第１の無線端末装置１５１からの計測情報、および第２の無線端末装置１５２からの設備情報を、管理装置１０１へ送信する。
【００４９】
管理装置１０１は、受信機１６１から送信された計測情報および設備情報を受信すると、当該設備情報に基づいて、当該計測情報のフィルタリングを行う。すなわち、管理装置１０１は、受信した設備情報に基づいて、受信した計測情報の一部を抽出する処理を行う。そして、管理装置１０１は、抽出した情報に基づいて対象設備Ｘの異常を検知する。
【００５０】
なお、管理装置１０１は、計測情報および設備情報の取得について以下のような構成であってもよい。すなわち、受信機１６１が、第１の無線端末装置１５１からの計測情報、および第２の無線端末装置１５２からの設備情報を保持する。そして、管理装置１０１は、受信機１６１の記憶部等に保存されている計測情報および設備情報を、定期的または不定期に読み出す。
【００５１】
［管理装置］
図２は、本発明の実施の形態に係る管理装置の構成を示す図である。
【００５２】
図２を参照して、管理装置１０１は、取得部４１と、処理部４２と、記憶部４３と、検知部４４とを含む。
【００５３】
取得部４１は、受信機１６１から送信された計測情報を受信すると、受信した計測情報および現在時刻を記憶部４３に保存する。また、取得部４１は、受信機１６１から送信された設備情報を受信すると、受信した設備情報および現在時刻を記憶部４３に保存する。これにより、記憶部４３には、計測情報と時刻との組、および設備情報と時刻との組が蓄積される。
【００５４】
処理部４２は、取得部４１により受信された設備情報に基づくタイミングで、記憶部４３に保存されている複数の計測情報のうちの一部を抽出する処理を行う。
【００５５】
図３は、図２に示す管理装置が受信した複数の計測情報に基づく計測結果を示す図である。図４は、図２に示す管理装置における設備情報の状態変化の一例を示す図である。図５は、図２に示す管理装置により抽出された１または複数の計測情報に基づく計測結果を示す図である。
【００５６】
図３および図５に示すグラフの横軸は時間を示し、縦軸は対象設備Ｘの振動強度を示す。図４に示すグラフの横軸は時間を示し、縦軸は設備情報の電圧レベルを示す。
【００５７】
図３〜図５を参照して、処理部４２は、たとえば、記憶部４３に保存されている複数の設備情報に基づいて、対象設備Ｘの動作開始タイミングおよび動作停止タイミングを検出する。
【００５８】
具体的には、図４に示すように、時刻ｔ１において、取得部４１が受信機１６１から送信された「１」の接点情報を受信し、時刻ｔ２において、取得部４１が受信機１６１から送信された「０」の接点情報を受信したとする。この場合、処理部４２は、時刻ｔ１を対象設備Ｘの動作開始タイミングとして検出し、時刻ｔ２を対象設備Ｘの動作停止タイミングとして検出する。
【００５９】
また、処理部４２は、図５に示すように、記憶部４３に保存されている複数の計測情報の中から、時刻ｔ１から時刻ｔ２の期間に含まれる時刻に対応する１または複数の計測情報を抽出する。すなわち、処理部４２により抽出される計測情報の各々は、対象設備Ｘが動作している期間における、対象設備Ｘの計測結果を示す。
【００６０】
そして、処理部４２は、抽出した１または複数の計測情報を含む抽出情報を、記憶部４３に保存する。
【００６１】
再び図２を参照して、検知部４４は、定期的または不定期に、記憶部４３に保存されている抽出情報を取得し、取得した抽出情報に基づいて対象設備Ｘの異常を検知する。検知部４４は、対象設備Ｘの異常の検知として、対象設備Ｘの故障および劣化などを検知することができる。
【００６２】
（異常検知の具体例１）
図６は、本発明の実施の形態に係る管理装置による異常の検知方法の一例（その１）を説明するための図である。図６に示すグラフの横軸は周波数を示し、縦軸は対応する周波数における信号強度を示す。
【００６３】
図６を参照して、たとえば、検知部４４は、抽出情報の示す計測結果の成分分析を行う。すなわち、検知部４４は、図５に示す波形の周波数分布特性に基づいて、対象設備Ｘに異常が生じているか否かを判断する。
【００６４】
より詳細には、たとえば、記憶部４３には、対象設備Ｘが正常に動作している状態における、当該対象設備Ｘの振動強度を示す波形の周波数分析の結果が基準データとして保存されている。検知部４４は、たとえば、基準データのグラフの特異点と、抽出情報の示す計測結果を周波数分析することにより得られたグラフの特異点とを比較することにより、対象設備Ｘに異常が生じているか否かを判断することができる。
【００６５】
（異常検知の具体例２）
図７は、本発明の実施の形態に係る管理装置による異常の検知方法の一例（その２）を説明するための図である。図７に示すグラフの横軸は日付を示し、縦軸は対象設備Ｘの振動強度を示す。
【００６６】
図７を参照して、検知部４４は、周波数分析を行う代わりに、たとえば、抽出情報の示す計測結果に基づいて、日付ごとの振動強度を示すグラフを取得し、当該グラフに基づいて、対象設備Ｘに異常が生じているか否かを判断する構成であってもよい。
【００６７】
より詳細には、たとえば、検知部４４は、記憶部４３から、１日分の抽出情報を取得し、取得した抽出情報に基づいて、単位時間当たりの振動強度の平均値を算出する。そして、検知部４４は、算出した平均値を日付と対応付けて記憶部４３に保存する。
【００６８】
また、検知部４４は、たとえば図７に示すように、日付ごとの振動強度の平均値を示すグラフを作成し、グラフの値および絶対基準値を用いることにより、対象設備Ｘに異常が生じているか否かを判断する。たとえば、検知部４４は、対象設備Ｘが正常に動作している場合における振動強度の変化量を基準値として、対象設備Ｘに異常が生じているか否かを判断する。
【００６９】
具体的には、１０月１日から１０月１３日までの期間において、対象設備Ｘが正常に動作しており、当該期間において振動強度の平均値の変化量が約ゼロであるとする。この場合、検知部４４は、たとえば、基準値をゼロとする。
【００７０】
そして、たとえば、１０月１３日から１０月２６日までの期間において、前日の振動強度の平均値から翌日の振動強度の平均値への変化量と、基準値との差が所定値以上であることが数日に１回あるとする。この場合、検知部４４は、たとえば、当該期間において、対象設備Ｘが注意の必要な状態、すなわち対象設備Ｘに異常が生じる可能性の高い状態であると判断する。
【００７１】
また、たとえば、１０月２６日から１０月２９日までの期間において、前日の振動強度の平均値から翌日の振動強度の平均値への変化量と、基準値との差が所定値以上であることが複数回連続したとする。この場合、検知部４４は、たとえば、対象設備Ｘに異常が生じていると判断する。
【００７２】
なお、検知部４４は、対象設備の振動強度の平均値と相対基準値とを比較することにより、対象設備Ｘに異常が生じているか否かを判断する構成であってもよい。
【００７３】
具体的には、検知部４４は、たとえば、１０月１日における振動強度の平均値と、ある日の振動強度の平均値とを結ぶグラフの傾きが第１所定値未満である場合、対象設備Ｘに異常が生じていないと判断する。また、検知部４４は、たとえば、当該グラフの傾きが第１所定値以上、かつ第２所定値未満である場合、対象設備Ｘが注意の必要な状態であると判断する。また、検知部４４は、たとえば、当該グラフの傾きが第２所定値以上である場合、対象設備Ｘに異常が生じていると判断する。
【００７４】
なお、管理装置１０１は、検知部４４を含まない構成であってもよい。この場合、管理装置１０１は、記憶部４３に保存されている抽出情報を他の異常検知装置へ送信する。異常検知装置は、管理装置１０１から送信された抽出情報を受信し、受信した抽出情報に基づいて対象設備Ｘの異常を検知する。
【００７５】
＜動作の流れ＞
管理システム２０１における各装置は、コンピュータを備え、当該コンピュータにおけるＣＰＵ等の演算処理部は、以下のシーケンス図の各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【００７６】
図８は、本発明の実施の形態に係る管理システムの動作の流れの一例を示すシーケンス図である。
【００７７】
図８を参照して、まず、第１の無線端末装置１５１は、対象設備Ｘの振動を常時計測し（ステップＳ１１）、計測結果を示す計測情報を受信機１６１経由で管理装置１０１へ送信する（ステップＳ１２）。
【００７８】
次に、第２の無線端末装置１５２は、自己の接点Ｐの状態が切り替わると（ステップＳ１３）、接点Ｐの状態を示す設備情報を受信機１６１経由で管理装置１０１へ送信する（ステップ１４）。
【００７９】
次に、管理装置１０１は、第１の無線端末装置１５１から送信された計測情報、および第２の無線端末装置１５２から送信された設備情報を受信し、受信した計測情報および設備情報を保持する（ステップＳ１５）。
【００８０】
次に、管理装置１０１は、保持している複数の設備情報に基づいて、対象設備Ｘの動作開始タイミングおよび動作停止タイミングを検出する（ステップＳ１６）。
【００８１】
次に、管理装置１０１は、検出した動作開始タイミングおよび動作停止タイミングに基づいて、複数の計測情報の中から、対象設備Ｘが動作している期間における計測結果を示す１または複数の計測情報を抽出する（ステップＳ１７）。
【００８２】
そして、管理装置１０１は、抽出した１または複数の計測情報を含む抽出情報に基づいて、対象設備Ｘの異常を検知する（ステップＳ１８）。
【００８３】
なお、接点Ｐの状態の切り替え（ステップＳ１３）、および第２の無線端末装置１５２による設備情報の送信（ステップＳ１４）は、第１の無線端末装置１５１による計測（ステップＳ１１）および計測情報の送信（ステップＳ１２）より前に行われてもよい。
【００８４】
ところで、上述した特許文献１に記載のような装置によれば、対象設備を計測した結果に基づいて、人手を介さずに当該対象設備において生じた異常の検知を行うことができる。
【００８５】
しかしながら、対象設備の計測は、当該対象設備が動作している期間に限らず、動作を停止している期間においても行われる。そして、異常の検知に用いられるデータに、対象設備が動作している期間における計測結果、および対象設備が動作を停止している期間における計測結果の両方が含まれる場合、異常の検知を精度よく行うことができない可能性がある。また、この場合、不要なデータに対して演算処理を行うことになる。
【００８６】
そこで、たとえば、制御装置が、対象設備の動作を停止させる際、当該対象設備の計測結果を無線送信する送信機を制御することにより、当該計測結果の送信を停止させる構成が考えられる。しかしながら、この場合、制御装置と送信機との間を配線する必要があり、コストの増加などの問題がある。
【００８７】
これに対して、本発明の実施の形態に係る管理システム２０１では、第１の無線端末装置１５１が、対象設備Ｘを計測した結果を示す計測情報を取得して送信する。また、第２の無線端末装置１５２が、対象設備Ｘの動作に関する設備情報を取得して送信する。また、管理装置１０１が、計測情報および設備情報を取得し、取得した設備情報に基づいて、取得した計測情報の一部を抽出する処理を行う。
【００８８】
このような構成により、管理装置１０１において、設備情報に基づいて対象設備Ｘが動作している期間を把握し、当該期間における計測結果を含む計測情報を選択的に抽出することができるため、抽出した計測情報を用いて、対象設備Ｘにおける異常の検知をより高い精度で行うことができる。また、不要なデータに対する演算処理を避けることができるため、処理負荷の低減を実現することができる。したがって、対象設備Ｘに関する計測結果を示す計測情報の処理をより良好に行うことができる。
【００８９】
また、本発明の実施の形態に係る管理システム２０１では、第２の無線端末装置１５２は、接点Ｐを備える。接点Ｐには、設備情報として、対象設備Ｘの動作開始および動作停止を認識可能な情報が第２の無線端末装置１５２の外部である制御装置Ｙから与えられる。
【００９０】
このような構成により、制御装置Ｙから与えられる情報による接点Ｐの状態に基づいて、対象設備Ｘの動作開始タイミングおよび動作停止タイミングを容易に検出することができる。
【００９１】
また、本発明の実施の形態に係る管理システム２０１では、管理装置１０１は、対象設備Ｘの動作開始を認識可能な設備情報を取得した時刻、および対象設備Ｘの動作停止を認識可能な設備情報を取得した時刻に基づいて、計測情報の一部を抽出する処理を行う。
【００９２】
このような構成により、第２の無線端末装置１５２、または第２の無線端末装置１５２および管理装置１０１間の情報を中継する受信機１６１などにおいて時刻の計測を行うことなく、管理装置１０１において対象設備Ｘの動作開始タイミングおよび動作停止タイミングを検出することができる。
【００９３】
また、本発明の実施の形態に係る管理システム２０１では、管理装置１０１は、抽出した情報に基づいて対象設備Ｘの異常を検知する。
【００９４】
このように、管理装置１０１が対象設備Ｘの異常を検知する構成により、異常の検知を行うための他の装置を別途設ける必要がない。
【００９５】
また、本発明の実施の形態に係る管理装置１０１では、取得部４１が、対象設備Ｘを計測した結果を示す計測情報、および対象設備Ｘの動作に関する設備情報を取得する。また、処理部４２が、取得部４１により取得された設備情報に基づいて、取得部４１により取得された計測情報の一部を抽出する処理を行う。
【００９６】
このような構成により、管理装置１０１において、設備情報に基づいて対象設備Ｘが動作している期間を把握し、当該期間における計測結果を含む計測情報を選択的に抽出することができるため、抽出した計測情報を用いて、対象設備Ｘにおける異常の検知をより高い精度で行うことができる。また、不要なデータに対する演算処理を避けることができるため、処理負荷の低減を実現することができる。したがって、対象設備Ｘに関する計測結果を示す計測情報の処理をより良好に行うことができる。
【００９７】
また、本発明の実施の形態に係る管理システム２０１では、まず、第１の無線端末装置１５１が、対象設備Ｘを計測した結果を示す計測情報を取得して送信する。次に、第２の無線端末装置１５２が、対象設備Ｘの動作に関する設備情報を取得して送信する。次に、管理装置１０１が、計測情報および設備情報を取得し、当該設備情報に基づいて、当該計測情報の一部を抽出する処理を行う。
【００９８】
このような方法により、管理装置１０１において、設備情報に基づいて対象設備Ｘが動作している期間を把握し、当該期間における計測結果を含む計測情報を選択的に抽出することができるため、抽出した計測情報を用いて、対象設備Ｘにおける異常の検知をより高い精度で行うことができる。また、不要なデータに対する演算処理を避けることができるため、処理負荷の低減を実現することができる。したがって、対象設備Ｘに関する計測結果を示す計測情報の処理をより良好に行うことができる。
【００９９】
＜変形例１＞
図１に示す例では、管理システム２０１における第２の無線端末装置１５２は、設備情報として、接点Ｐの状態を示す信号を送信する。しかしながら、このような構成に限らず、第２の無線端末装置は、対象設備Ｘを計測した結果を示す情報を設備情報として送信する構成であってもよい。この場合、第２の無線端末装置は、第１の無線端末装置１５１による計測とは異なる種類の計測を行う。
【０１００】
図９は、本発明の実施の形態の変形例１に係る管理システムの構成を示す図である。
【０１０１】
図９を参照して、管理システム２０２は、図１に示す第２の無線端末装置１５２の代わりに、第２の無線端末装置１５３を備える。
【０１０２】
第２の無線端末装置１５３は、たとえば、クランプ式の電流センサであり、コア部５１と、本体５２とを含む。コア部５１は、たとえば、対象設備Ｘと電源プラグＰＳとをつなぐ電線を挟む。本体５２は、コア部５１に巻かれたコイルに発生する電流を計測することにより、対象設備Ｘに流れる電流値を計測し、計測結果を示す情報を設備情報として受信機１６１経由で管理装置１０１へ送信する。
【０１０３】
なお、第２の無線端末装置１５３は、クランプ式の電流センサの代わりに、対象設備Ｘと電源プラグＰＳとをつなぐ電線に直接結線される電流センサなどであってもよい。このような電流センサを用いる場合、たとえば、当該電線に流れる４ｍＡ〜２０ｍＡの範囲で出力される微小な電流値を計測することが可能である。
【０１０４】
また、第２の無線端末装置１５３は、対象設備Ｘの温度を計測する温度センサ、または対象設備Ｘの湿度を計測する湿度センサなどであってもよい。
【０１０５】
なお、第２の無線端末装置１５３は、別の装置により行われた対象設備Ｘの計測結果を取得し、取得した計測結果を示す設備情報を受信機１６１経由で管理装置１０１へ送信する構成であってもよい。
【０１０６】
再び図２を参照して、管理装置１０１における取得部４１は、受信機１６１から送信された計測情報を受信すると、受信した計測情報および現在時刻を記憶部４３に保存する。また、取得部４１は、受信機１６１から送信された設備情報を受信すると、受信した設備情報および現在時刻を記憶部４３に保存する。
【０１０７】
処理部４２は、取得部４１により受信された設備情報に基づくタイミングで、記憶部４３に保存されている複数の計測情報のうちの一部を抽出する処理を行う。
【０１０８】
図１０は、図９に示す管理装置が受信した設備情報に基づく計測結果を示す図である。図１０に示すグラフの横軸は時間を示し、縦軸は電流値を示す。
【０１０９】
図１０を参照して、具体的には、時刻ｔ１から時刻ｔ２の期間に含まれる複数の時刻にそれぞれ対応する複数の設備情報の示す電流値が閾値Ｔｈを超えているとする。この場合、処理部４２は、時刻ｔ１を対象設備Ｘの動作開始タイミングとして検出し、時刻ｔ２を対象設備Ｘの動作停止タイミングとして検出する。
【０１１０】
また、処理部４２は、記憶部４３に保存されている複数の計測情報の中から、時刻ｔ１から時刻ｔ２の期間に含まれる時刻に対応する１または複数の計測情報を抽出する。そして、処理部４２は、抽出した１または複数の計測情報を含む抽出情報を、記憶部４３に保存する。
【０１１１】
検知部４４は、定期的または不定期に、記憶部４３に保存されている抽出情報を取得し、取得した抽出情報に基づいて対象設備Ｘの異常を検知する。
【０１１２】
その他の構成および動作は、図１に示す管理システム２０１と同様であるため、ここでは詳細な説明を繰り返さない。
【０１１３】
上記のように、本発明の実施の形態の変形例１に係る管理システム２０１において、設備情報は、計測情報の示す計測とは異なる種類の計測を対象設備Ｘについて行った結果を示す。管理装置１０１は、設備情報の示す計測結果と所定の閾値Ｔｈとの比較結果に基づいて、計測情報の一部を抽出する処理を行う。
【０１１４】
このような構成により、ある種類の計測情報を、対象の計測情報の抽出処理のためのタイミング設定に用いることができる。
【０１１５】
＜変形例２＞
図１に示す例では、管理システム２０１における管理装置１０１は、受信機１６１から送信された設備情報を受信した時刻に基づいて、計測情報の一部を抽出する処理を行う。しかしながら、管理システム２０１は、このような構成に限らず、以下のような構成であってもよい。
【０１１６】
受信機１６１は、第１の無線端末装置１５１から送信された計測情報を受信すると、受信した計測情報に、たとえば現在時刻である時刻情報および中継回数を追加する。そして、受信機１６１は、現在時刻および中継回数が追加された後の計測情報を管理装置１０１へ送信する。
【０１１７】
中継回数は、第１の無線端末装置１５１と管理装置１０１との間において、計測情報が中継された回数である。すなわち、第１の無線端末装置１５１から送信された計測情報を受信した受信機１６１は、中継回数として「１」を計測情報に追加する。
【０１１８】
なお、第１の無線端末装置１５１と受信機１６１との間において、図示しない１または複数の中継機が設けられてもよい。この場合、第１の無線端末装置１５１から送信された計測情報を直接受信した中継機は、計測情報に現在時刻および中継回数「１」を追加し、時刻情報および中継回数を追加した後の計測情報を、他の中継機または受信機１６１へ送信する。
【０１１９】
他の中継機は、計測情報に時刻情報を追加せず、中継回数のカウントアップを行った後の計測情報を、他の中継機または受信機１６１へ送信する。受信機１６１は、計測情報に時刻情報を追加せず、中継回数のカウントアップを行った後の計測情報を管理装置１０１へ送信する。
【０１２０】
また、受信機１６１は、第２の無線端末装置１５２から送信された設備情報を受信すると、第１の無線端末装置１５１からの計測情報を受信した場合と同様に、当該設備情報に、たとえば現在時刻である時刻情報および中継回数を追加する。そして、受信機１６１は、現在時刻および中継回数が追加された後の設備情報を管理装置１０１へ送信する。
【０１２１】
また、第２の無線端末装置１５２と受信機１６１との間において、１または複数の中継機が設けられている場合、第２の無線端末装置１５２から送信された設備情報を直接受信した中継機は、設備情報に時刻情報および中継回数「１」を追加し、時刻情報および中継回数を追加した後の設備情報を、他の中継機または受信機１６１へ送信する。
【０１２２】
他の中継機は、設備情報に時刻情報を追加せず、中継回数のカウントアップを行った後の設備情報を、他の中継機または受信機１６１へ送信する。受信機１６１は、設備情報に時刻情報を追加せず、中継回数のカウントアップを行った後の設備情報を管理装置１０１へ送信する。
【０１２３】
管理装置１０１は、受信機１６１から受信した設備情報に含まれる時刻情報に基づいて、対象設備Ｘの動作開始タイミングおよび動作停止タイミングを検出する。
【０１２４】
より詳細には、管理装置１０１における処理部４２は、たとえば、記憶部４３に保存されている複数の設備情報を確認し、接点情報が「０」から「１」に切り替わった場合における最初の設備情報に含まれる時刻情報を、対象設備Ｘの動作開始タイミングとして検出する。また、処理部４２は、たとえば、接点情報が「１」から「０」に切り替わった場合における最初の設備情報に含まれる時刻情報を、対象設備Ｘの動作停止タイミングとして検出する。
【０１２５】
そして、処理部４２は、記憶部４３に保存されている複数の計測情報のうち、対象設備Ｘの動作開始タイミングから動作停止タイミングまでの期間に対応する計測情報を抽出する。
【０１２６】
なお、受信機１６１は、計測情報への時刻情報および中継回数の追加、ならびに設備情報への時刻情報および中継回数の追加を行う機能を有さなくてもよい。管理装置１０１は、受信機１６１からの設備情報に時刻情報および中継回数が含まれている場合、すなわち中継機を経由した設備情報を受信した場合、上述のとおり、設備情報に含まれる時刻情報に基づいて、対象設備Ｘの動作開始タイミングおよび動作停止タイミングを検出する。
【０１２７】
一方、管理装置１０１は、受信機１６１からの設備情報に時刻情報および中継回数が含まれていない場合、すなわち中継機を経由していない設備情報を受信した場合、設備情報を受信した時刻に基づいて、対象設備Ｘの動作開始タイミングおよび動作停止タイミングを検出する。
【０１２８】
また、管理装置１０１は、受信機１６１からの計測情報に時刻情報および中継回数が含まれている場合、すなわち中継機を経由した計測情報を受信した場合、計測情報に含まれている時刻情報に基づいて、対象設備Ｘの動作開始タイミングから動作停止タイミングまでの期間に対応する計測情報を抽出する。
【０１２９】
一方、管理装置１０１は、受信機１６１からの計測情報に時刻情報および中継回数が含まれていない場合、すなわち中継機を経由していない計測情報を受信した場合、受信機１６１からの計測情報を受信した時刻に基づいて、対象設備Ｘの動作開始タイミングから動作停止タイミングまでの期間に対応する計測情報を抽出する。
【０１３０】
また、管理装置１０１が、第１の無線端末装置１５１から送信された計測情報、および第２の無線端末装置１５２から送信された設備情報を直接受信する構成であってもよい。
【０１３１】
この場合、管理装置１０１は、受信した設備情報に時刻情報および中継回数が含まれていないため、第２の無線端末装置１５２からの設備情報を受信した時刻に基づいて、対象設備Ｘの動作開始タイミングおよび動作停止タイミングを検出する。そして、管理装置１０１は、第１の無線端末装置１５１からの計測情報を受信した時刻に基づいて、対象設備Ｘの動作開始タイミングから動作停止タイミングまでの期間に対応する計測情報を抽出する。
【０１３２】
その他の構成および動作は、図１に示す管理システム２０１と同様であるため、ここでは詳細な説明を繰り返さない。
【０１３３】
上記のように、本発明の実施の形態の変形例２に係る管理システム２０１において、受信機１６１は、第２の無線端末装置１５２から設備情報を受信し、受信した設備情報に時刻情報を追加して管理装置１０１へ送信する。管理装置１０１は、対象設備Ｘの動作開始を認識可能な設備情報に含まれる時刻情報、および対象設備Ｘの動作停止を認識可能な設備情報に含まれる時刻情報に基づいて、計測情報の一部を抽出する処理を行う。
【０１３４】
たとえば、管理装置１０１における設備情報の受信時刻を用いて対象設備Ｘの動作開始タイミングおよび動作停止タイミングを検出する構成では、設備情報が管理装置１０１に到着するまでに多くの時間を要する場合、管理装置１０１により検出される動作開始タイミングおよび動作停止タイミングと、実際の動作開始タイミングおよび動作停止タイミングとの間の誤差が大きくなる。これに対して、上記のように、受信機１６１における設備情報の受信時刻を用いる構成により、誤差を小さくし、対象設備Ｘの動作開始タイミングおよび動作停止タイミングをより高い精度で検出することができる。
【０１３５】
なお、本発明の実施の形態に係る管理装置１０１の機能の一部または全部が、クラウドコンピューティングによって提供されてもよい。すなわち、本発明の実施の形態に係る管理装置１０１が、複数のクラウド事業者サーバ等によって構成されてもよい。
【０１３６】
上記実施の形態は、すべての点で例示であって制限的なものではないと考えられるべきである。本発明の範囲は、上記説明ではなく請求の範囲によって示され、請求の範囲と均等の意味および範囲内でのすべての変更が含まれることが意図される。
【０１３７】
以上の説明は、以下に付記する特徴を含む。
【０１３８】
［付記１］
対象設備を計測した結果を示す計測情報を取得して送信する第１の無線端末装置と、
前記対象設備の動作に関する設備情報を取得して送信する第２の無線端末装置と、
前記計測情報および前記設備情報を取得し、前記設備情報に基づいて、前記計測情報の一部を抽出する処理を行う管理装置とを備え、
前記第２の無線端末装置は、接点を備え、
前記接点は、前記対象設備が動作を開始する際にクローズの状態に切り替えられ、前記対象設備が動作を停止する際にオープンの状態に切り替えられ、
前記第２の無線端末装置は、前記接点の状態を示す情報を前記設備情報として送信し、
前記管理装置は、前記第２の無線端末装置から送信された前記設備情報に基づいて前記対象設備の動作開始タイミングおよび動作停止タイミングを検出し、取得した前記計測情報から、検出した前記動作開始タイミングから前記動作停止タイミングまでの期間に対応する情報を抽出する、管理システム。
【０１３９】
［付記２］
対象設備を計測した結果を示す計測情報、および前記対象設備の動作に関する設備情報を取得する取得部と、
前記取得部により取得された前記設備情報に基づいて、前記取得部により取得された前記計測情報の一部を抽出する処理を行う処理部とを備え、
前記設備情報は、前記対象設備に接続された第２の無線端末装置における接点の状態を示し、
前記接点は、前記対象設備が動作を開始する際にクローズの状態に切り替えられ、前記対象設備が動作を停止する際にオープンの状態に切り替えられ、
前記処理部は、前記設備情報に基づいて前記対象設備の動作開始タイミングおよび動作停止タイミングを検出し、前記取得部により取得された前記計測情報から、検出した前記動作開始タイミングから前記動作停止タイミングまでの期間に対応する情報を抽出する、管理装置。
【符号の説明】
【０１４０】
１１  検出素子
１２  本体
２１，５２  本体
４１  取得部
４２  処理部
４３  記憶部
４４  検知部
５１  コア部
１０１  管理装置
１５１  第１の無線端末装置
１５２，１５３  第２の無線端末装置
１６１  受信機（中継機）
２０１，２０２  管理システム
Ｐ  接点
ＰＳ  電源プラグ
Ｘ  対象設備
Ｙ  制御装置
【図１】
0006638864.tif 000002
【図２】
0006638864.tif 000003
【図３】
0006638864.tif 000004
【図４】
0006638864.tif 000005
【図５】
0006638864.tif 000006
【図６】
0006638864.tif 000007
【図７】
0006638864.tif 000008
【図８】
0006638864.tif 000009
【図９】
0006638864.tif 000010
【図１０】
0006638864.tif 000011